(57)【要約】      （修正有）【課題】敷設工事現場近傍の陸上で、中型遮水シートを大型遮水シートへさらに広幅加工を行い、大型遮水シートを敷設作業現場に送り出すことが出来る作業ステージを設けて、雨天時でも遮水シートの融着が可能な遮水シートの広幅加工設備場を提供する。【解決手段】敷設作業現場近傍で組立て再設置する広幅加工設備場であって、規格で決められている幅２．０ｍの遮水シートをロール状に巻回した原反ロールＲａを複数倍幅の中型広幅遮水シートに加工作業する作業ステージ１０と、上方の固定屋根部３０ａとスライド屋根部３０ｂからなる屋根３０と、固定屋根部には取り外し自在の柱で立設し、スライド屋根部には一対のレール材とガイドレール装置７０を設け、梁材には、屋根を支える柱を取り外し自在に立設し、作業ステージ後部には、軸受スタンド６０と、スライド屋根部を支える架台５０を取り外し自在に立設した。【選択図】図２
0003230960.tif 000002
【実用新案登録請求の範囲】
【請求項１】
遮水シートの敷設作業現場近傍に、敷設作業が完了する毎に解体し、新たな敷設
作業現場の近傍で組立て再設置する広幅加工設備場以外の場所において、
規格で決められている幅２．０ｍの遮水シートをロール状に巻回した原反ロール
を、複数本連設して並べ、
これらの各原反ロールの遮水シートをそれぞれ重合して一側端及び両側の重合部
を融着して、複数倍幅の中型広幅遮水シートを形成し、
該中型広幅遮水シートをロール状に巻回して形成した中型広幅遮水ロールを、予
め多数本加工しておき、
これらの中型広幅遮水ロールを、広幅加工設備場において、さらに複数本連接して並べた各中型広幅遮水ロ
ールの遮水シートのそれぞれ一側端及び両側の重合部を融着して、さらに複数倍幅
の大型広幅遮水シートに加工作業する作業ステージを設け、
該作業ステージの上方には固定屋根部とスライド屋根部からなる屋根を設け、
前記固定屋根部には梁材を取り付け、
前記スライド屋根部には一対のガイドレール装置を設け、
前記梁材には、降雨を防ぐための屋根を支えるそれぞれ一または複数本の柱を立設し、
前記作業ステージ後部には、スライド屋根部を支える架台を立設した
ことを特徴とする遮水シートの広幅加工設備場。
【請求項２】
前記作業ステージは、
後部に、前後二列で千鳥状に設置する軸受スタンドを、複数組配列した
ことを特徴とする請求項１記載の遮水シートの広幅加工設備場。
【請求項３】
前記固定屋根部は、
前方側に棟梁材、後方側に軒梁材を設け、
これら梁材には、Ｌ字型鋼でトラス状に組み合わせて直方体状に形成した柱を取り外し自在に設けた
ことを特徴とする請求項１記載の遮水シートの広幅加工設備場。
【請求項４】
前記スライド屋根部は、複数の小屋根に細かく分割し、
且つ、分割した各分割屋根はレール材と同一方向に移動するガイドレール装置を設けた
ことを特徴とする請求項１記載の遮水シートの広幅加工設備場。
【請求項５】
前記ガイドレール装置は、前記スライド屋根部の内側前後に設けた一対のレール材と係合して設け、
前記一対のレール材の一方は、固定屋根部の後端部と取り外し自在に設け、該レール材の他方は、架台の上端部に取り外し自在に設けた
ことを特徴とする請求項１または４記載の遮水シートの広幅加工設備場。
【考案の詳細な説明】
【技術分野】
【０００１】
この考案は、遮水シートの広幅加工設備場に関し、特に、製造規格で決められている幅２．０ｍの遮水シートを、大型遮水シートに加工するための遮水シートの広幅加工設備場に関するものである。
【背景技術】
【０００２】
従来、遮水シートは、護岸に敷設して降雨や波等による決壊を防止し、或いは廃棄物処分場等の底部に敷設して、石炭灰等廃棄物から流れ出る有害物質が地下に浸透することを防ぐために用いるものである。
【０００３】
そのため、遮水シート敷設工事の規模が大きくなればなるほど、当然、巨大な縦幅、横幅を有する広い大型の遮水シートが必要となる。
【０００４】
しかし、遮水シートの原反ロールの幅は、製造規格で幅２．０ｍと決められており、これを施工現場の規模に適合する幅の大型遮水シートに加工するには、複数個の原反ロールより繰り出した遮水シートを張り合わせて相当な幅になるよう加工する広幅加工設備場を設ける必要がある。
【０００５】
従来の遮水シートの広幅加工は、敷設施工現場付近の水面に１５００トン級の作業用台船を停泊し、該台船上で広幅加工が行われている。このような作業を行う作業用台船は本願出願人が取得している。例えば、特許文献１のように。
【先行技術文献】
【特許文献】
【０００６】
【特許文献１】特許第６３５１０８５号公報
【０００７】
しかしながら、遮水シートの敷設施工現場が海上付近にあり、海岸際での施工条件が合えば、広幅加工設備も台船上に設ける事もあるが、台船上では、雨天は勿論のこと雨天でなくても海が荒れた場合には波が台船上に打ち上げ、海水で融着作業ができないし、大規模の敷設施工現場が要求するような大型遮水シートに加工するには無理であった。
【考案の概要】
【考案が解決しようとする課題】
【０００８】
そこでこの考案は、敷設工事現場近傍の陸上で、中型遮水シートを大型遮水シートへさらに広幅加工を行い、広幅加工した大型遮水シートを敷設作業現場に送り出すことが出来る作業ステージを設けて雨天時でも遮水シートの融着が可能な遮水シートの広幅加工設備場を開発・提供するものである。
【課題を解決するための手段】
【０００９】
この考案である遮水シート広幅加工設備場は、遮水シートの敷設作業現場近傍に、敷設作業が完了する毎に解体し、新たな敷設作業現場の近傍で組立て再設置する広幅加工設備場以外の場所において、規格で決められている幅２．０ｍの遮水シートをロール状に巻回した原反ロールを、複数本連設して並べ、これらの各原反ロールの遮水シートをそれぞれ重合して一側端及び両側の重合部を融着して、複数倍幅の中型広幅遮水シートを形成し、該中型広幅遮水シートをロール状に巻回して形成した中型広幅遮水ロールを、予め多数本加工しておき、これらの中型広幅遮水ロールを、広幅加工設備場において、さらに複数本連接して並べた各中型広幅遮水ロールの遮水シートのそれぞれ一側端及び両側の重合部を融着して、さらに複数倍幅の大型広幅遮水シートに加工作業する作業ステージを設け、該作業ステージの上方には固定屋根部とスライド屋根部からなる屋根を設け、前記固定屋根部には梁材を取り付け、前記スライド屋根部には一対のガイドレール装置を設け、前記梁材には、降雨を防ぐための屋根材を支えるそれぞれ一または複数本の柱を立設し、前記作業ステージ後部には、スライド屋根部を支える擁壁を立設したことを特徴とする。
【００１０】
前記作業ステージは、後部に、前後二列で千鳥状に設置する軸受スタンドを、複数組配列したことを特徴とする。
【００１１】
前記固定屋根部は、前方側に棟梁材、後方側に軒梁材を設け、これら梁材には、Ｌ字型鋼でトラス状に組み合わせて直方体状に形成した柱を取り外し自在に設けたことを特徴とする。
【００１２】
前記スライド屋根部は、複数の小屋根に細かく分割し、且つ、分割した各分割屋根はレール材と同一方向に移動するガイドレール装置を設けたことを特徴とする。。
【００１３】
前記ガイドレール装置は、該スライド屋根部の内側前後に設けた一対のレール材と係合して設け、前記一対のレール材の一方は、固定屋根部の後端部と取り外し自在に設け、該レール材の他方は、架台の上端部に取り外し自在に設けたことを特徴とする。
【考案の効果】
【００１４】
この考案によると、冬季等の作業休止期間に作業ステージ以外の場所で原反ロールを中型広幅ロールに多数広幅加工し、該中型広幅ロールを作業ステージ上で使用することにより、これらの中型広幅ロールを、敷設作業現場の要求する大きさの大型広幅ロールに一気に加工出来ると共に、敷設作業現場へ一気に移動することができる等の効果を奏する。
【００１５】
さらに、前記中型広幅ロールを、作業ステージ内に多数並列された軸受スタンドのうち、降下目標とする軸受スタンドの上方のスライド屋根部の分割屋根を移動して、該軸受スタンドの幅より少し広く開口することにより、順次、中型広幅ロールを降下・搬入することができ、搬入作業が簡単であり作業効率の向上が図れる等の効果を有する。
【図面の簡単な説明】
【００１６】
【図１】この考案の広幅加工設備場の一実施例を示す平面図である。
【図２】この考案の広幅加工設備場の一実施例を示す一部を切り欠いた側面図である。
【図３】この考案の作業ステージで広幅加工された遮水シートの移動状態を示す斜視図である。
【図４】この考案の加工状態を示し、（Ａ）は、中型広幅ロールを大型広幅ロールに加工する状態を示す斜視図であり、（Ｂ）は、図４（Ａ）中の矢印ａ方向からみた中型広幅ロールの拡大側面図である。
【図５】この考案に使用する広幅加工設備場のスライド屋根であり、（Ａ）は、一部を切り欠いた側面図であり、（Ｂ）は、図５（Ａ）中のａの拡大図であり、（Ｃ）は、図５（Ａ）中のｂの拡大図である。
【図６】この考案に使用する広幅加工設備場のスライド屋根の使用状態を示す説明図である。
【考案を実施するための形態】
【００１７】
以下、この考案の好適な実施の形態について説明するが、この考案においては、以下の記述に限定されるものではなく、この考案の要旨を逸脱しない範囲においては適宜変更可能である。
【実施例】
【００１８】
そこで、先ずこの考案の一実施例を図面に基づいて説明すると、遮水シートの敷設作業現場近傍であって、敷設作業が完了する毎に解体し、新たな敷設作業現場の近傍で組立設置する広幅加工設備場において、規格で決められている幅２．０ｍの遮水シート（Ｓａ）を、ロール状に巻回した原反ロール（Ｒａ）を複数本連設して並べ、これらの各原反ロールの遮水シートをそれぞれ重合して一側端及び両側の重合部（Ｘａ）、（Ｘｂ）を融着して、複数倍幅の中型広幅遮水シート（Ｓｂ）を形成し、該中型広幅遮水シート（Ｓｂ）のをロール状に巻回して形成した中型広幅遮水ロール（Ｒｂ）を、予め多数本加工しておき、これらの中型広幅ロール（Ｒｂ）を、さらに複数本連接して並べた各中型広幅遮水シート（Ｓｂ）のそれぞれ重合した一側端及び両側の重合部（Ｘ）を融着して、さらに複数倍数の大型広幅遮水シート（Ｓｃ）に加工作業する作業ステージ（１０）を設け、該作業ステージ（１０）の上方には固定屋根部（３０ａ）とスライド屋根部（３０ｂ）からなる屋根（３０）を設け、前記固定屋根部（３０ａ）には梁材（２０）を取り付け、前記スライド屋根部（３０ｂ）には一対のガイドレール装置（７０）を設け、前記梁材（２０）には、屋根（３０）を支えるそれぞれ一または複数本の柱（４０）を立設し、前記作業ステージ（１０）後部には、スライド屋根部（３０ｂ）を支える架台（５０）を立設したことを特徴とする遮水シートの広幅加工設備場から構成されるものである。
【００１９】
前記作業ステージ（１０）は、前記中型広幅遮水シート（Ｓｂ）を複数本並列して重合部を融着し大型広幅遮水シート（Ｓｃ）に加工するもので、前記作業ステージの表面には摩擦低減シート（１０ａ）を敷設している。そして、該作業ステージ（１０）の後部には、前後二列で千鳥状にセットした軸受スタンド（６０）〔前部に２本、後部に３本の計５本、ただし条件により本数は異なる〕を１組とし、敷設作業現場が要求する大きさの遮水シートに加工するため、複数組配列しており、作業ステージ（１０）の前部は加工作業を終えた大型広幅遮水シート（Ｓｃ）を、敷設作業現場に向けて送り出すために開口している。
【００２０】
敷設作業現場に向かう大型広幅遮水シート（Ｓｃ）は、作業ステージ（１０）上より前部に隣接された下り勾配を有するスロープ（Ａ）上に、駆動手段によって送り出され、送り出された後、敷設作業現場である水面（海あるいは川）から船舶等の牽引手段で牽引されて該現場へ移送されるものである。
【００２１】
前記梁材（２０）付の固定屋根部（３０ａ）と、一対のガイドレール装置（７０）を有するスライド屋根部（３０ｂ）から構成された屋根（３０）は、前記作業ステージ（１０を覆っており、前記固定屋根部（３０ａ）の前方に棟梁材（２０ａ）、後方に軒梁（２０ｂ）が設けられ、これら梁材（２０）は、柱（４０）で支持されている。
【００２２】
前記の一対のガイドレール装置（７０）は、スライド屋根部（３０ｂ）側に配置し、該ガイドレール装置の一方は、固定屋根部（３０ａ）の後端部に設けられ、他端は架台（５０）の上端部に設けられたものである。
【００２３】
なお、前記柱（４０）は、取り外し可能であり、断面がＬ字型鋼でトラス状に組み合わせて直方体状に形成され、棟梁材（２０ａ）には長い柱（４０ａ）、軒梁材（２０ｂ）には短い柱（４０ｂ）でそれぞれ取り付け、固定屋根部（３０ａ）を支持するものである。
【００２４】
前記スライド屋根部（３０ｂ）の分割屋根（Ｒ１、Ｒ２、Ｒ３、Ｒ４、Ｒ５、Ｒ６、Ｒ７、Ｒ８）は、外部から作業ステージ（１０）の後部に設けた軸受スタンド（６０）に向けて中型広幅ロール（Ｒｂ）を搬入するために設けたものである。該スライド屋根部（３０ｂ）は、図１に示すように固定屋根部（３０ａ）より横方向に張り出して設けており、スライド屋根部（３０Ｂ）には、図６に示すように、開口部（Ｃ）（Ｃ´）を除き、８枚の分割屋根（Ｒ１、Ｒ２、Ｒ３、Ｒ４、Ｒ５、Ｒ６、Ｒ７、Ｒ８）に細かく分割して設けられており、且つ、これらの分割屋根は、横方向にそれぞれ一対のレール材（７０ａ）、（７０ａ´）に跨座して搭載され、それぞれが摺動可能に設けられ、横方向に移動可能に設けられている。
【００２５】
そして、スライド屋根部（３０ｂ）を構成する前記８枚の分割屋根（Ｒ１〜Ｒ８）の合計横幅寸法は、図１に示す通り、固定屋根部（３０ａ）の横幅寸法（Ｗａ）と略同一程度の横幅寸法である。これら分割屋根と図６にも示す開口部（Ｃ）、開口部（Ｃ´）の２つの横幅寸法を加えれば、スライド屋根部（３０ｂ）に装着したレール材（７０ａ、７０ａ´）のそれぞれ長さ寸法（Ｗｂ）と略同一寸法となる。
【００２６】
また、開口部（Ｃ）、（Ｃ´）の合計幅は、中型広幅ロール（Ｒｂ）の長さ寸法（Ｗｃ）より長めの寸法を設けて開けており、他所で加工された中型広幅ロール（Ｒｂ）を余裕を持って前記開口部（Ｃ、Ｃ´）より降下し、作業ステージ（１０）上の軸受スタンド（６０）に嵌着できるよう構成している。
【００２７】
さらに、スライド屋根部（３０ｂ）に取り付ける各分割屋根（Ｒ１、Ｒ２、Ｒ３、Ｒ４、Ｒ５、Ｒ６、Ｒ７、Ｒ８）は、それぞれガイドレール装置（７０）が設けられ、図５（Ａ）及び図５（Ｃ）に示すように、固定屋根部（３０ａ）の後端部に設けたレール材（７０ａ）と摺動自在に設け、他方のガイドレール装置（７０）は、図５（Ｃ）及びズ５（Ｂ）に示すように、架台（５０）の上端部に設けたレール材（７０ａ´）と摺動自在に設けている。
【００２８】
また、前記レール材（７０ａ）、（７０ａ´）は、両方共にＨ鋼を素材としフランジ面が上下となるように設置している。そして、各ガイドレール装置（７０）は、それぞれレール材（７０ａ）、（７０ａ´）の上部フランジ面を覆い、底部が開口した断面形状がコ字状の枠体（７０ｂ）、（７０ｂ´）を設けている。
【００２９】
そして、前記レール材（７０ａ）と摺動するコ字状の枠体（７０ｂ）内には、上面に上部キャスター（７１ａ）、両側面には側部キャスター（７１ｂ）、（７１ｂ´）を設けており、上部キャスター（７１ａ）は、レール材（７０ａ）の上面と摺接し、側部キャスター（７１ｂ）（７１ｂ´）はレール材（７０ａ）の上面の両端にそれぞれ摺接するものである。
【００３０】
また、前記レール材（７０ａ´）と摺動するコ字状の枠体（７０ｂ´）内には、上面に上部キャスター（７１ａ´）を設け、レール材（７０ａ´）の上面と摺接し、キャスター（７１ａ´）を介して、前記枠体（７０ｂ´）と摺動可能に回動するよう構成されている。
【００３１】
また、前記コ字状の枠体（７０ｂ）、（７０ｂ´）の両端には、それぞれスライド屋根部（３０ｂ）のレール材（７０ａ）、（７０ｂ）からそれぞれ分割屋根（Ｒ１〜Ｒ８）が脱線することを防止するため、該枠体の両端に防止板（７０ｃ）、（７０ｃ´）を設けている。
【００３２】
なお、スライド屋根部（３０ｂ）を構成する分割屋根の移動状況の一実施例を図６で示すと、通常時にはスライド屋根部（３０ｂ）の両端に、それぞれ開口部（Ｃ）、（Ｃ´）を形成し、８枚の分割屋根は中央部に集められており、固定屋根部（３０ａ）と同じ横幅寸法を構成している。
【００３３】
そして作業時には、作業ステージ（１０）の後部に配置された前後二列で千鳥状に設置した軸受スタンド（６０）に向けて、上方よりそれぞれ中型広幅ロール（Ｒｂ）を降下するため、降下予定の軸受スタンド（６０）の上部の分割屋根（Ｒ１〜Ｒ８）は、開口部（Ｃ）、（Ｃ´）を形成するために左・右方向に一体に移動し、降下予定の軸受スタンド（６０）の上方を開けるものである。
【００３４】
その際には、図６の１．から図６の８．に順次示すように、降下予定の軸受スタンド（６０）の上方の分割屋根（Ｒ１〜Ｒ８）を、図６の左側に位置する軸受スタンド（６０）から順次右側に開口部（Ｃ）＋（Ｃ´）を設けるよう前記分割屋根を左・右に移動し、その際、隣接している他の分割屋根も一体に移動させて、開口部を形成し、この開口部から作業ステージ（１０）に位置する軸受スタンド（６０）に向けて、上方より重機を用いて開口部から中型広幅ロール（Ｒｂ）を順次、降下させるものである。
【００３５】
次に、前記中型広幅遮水シート（Ｓｂ）の具体的な加工方法を簡単に説明しておくと、前述の原反ロール（Ｒａ）を、加工設備場以外の場所で３本並列しそれぞれのロールから繰り出した３本の遮水シート（Ｓａ）のうち、左側、右側に位置する遮水シートを中央の遮水シートの両端と重ねた重合部（Ｘａ）、（Ｘｂ）を融着加工して中型広幅遮水シート（Ｓｂ）に形成し、これを軸材に巻回して中型広幅ロール（Ｒｂ）を形成するものである。なお、実施例においては原反ロール３本並列した例を図示してするが、それ以上の複数本の原反ロールを用いてもよいものである。
【００３６】
前記、遮水シート（Ｓａ）から中型広幅遮水シート（Ｓｂ）に加工する際、３本の原反ロール（Ｒａ）を用いたが、これは一例にすぎず、遮水シート敷設作業現場の要求に応じて大きく広い遮水シートを作成する場合には、当然、これより多くの原反ロール（Ｒａ）を使用してより横幅の広い中型あるいは大型広幅遮水シートに加工してもよいものである。また、原反ロールのままで加工してもよい。
【００３７】
遮水シート（Ｓａ）の幅寸法（Ｗｄ）は、前記したように製造規格で２．０ｍと決められており、遮水シートの敷設作業現場が必要とする大きさの遮水シートを用意できるよう予め多量に準備して置く必要がある。そのために例えば、原反ロール（Ｒａ）を３倍幅に加工した中型広幅遮水シート（Ｓｂ）を、敷設作業が休止される冬期等を利用して本願の広幅加工設備場以外の別の作業ステージ内で加工作業をするものである。
【００３８】
そして、これらの中型広幅遮水シート（Ｓｂ）を、広幅加工設備場以外の場所で予め多数用意しておくことによって、さらに、敷設作業現場で要求される大きさの大型広幅遮水シート（Ｓｃ）に広幅加工する作業時間の短縮化を大幅に図ることができる。
【００３９】
この考案の遮水シートの広幅加工設備場の作業ステージで加工された大型広幅遮水シート（Ｓｃ）は、作業ステージ（１０）に隣接された引出装置（Ｂ）で３．３％勾配のスロープ（Ａ）面（適宜な角度の下り勾配もあり得る。）上に引き出される。そして、引き出された大型広幅遮水シート（Ｓｃ）は、海岸に向け船舶等の駆動手段によって引き摺り出される。引き摺り出された大型広幅遮水シート（Ｓｃ）はブイ等の浮力体を装着し、船舶等で敷設作業現場まで牽引され敷設作業を行うものである。
【００４０】
なお、この考案に使用する遮水シート（Ｓａ）の素材の一例を述べると、超軟質ＰＶＣであり、該遮水シートの両面を保護する保護マット材の素材は、ポリエステル製スパンボンド不織布であり、スロープ（Ａ）面を覆う素材は、高密度ポリエチレンである。
【００４１】
次に、この考案の動力部分の説明をすると、作業ステージ（１０）の後部で、前後二列で千鳥状に設置する軸受スタンド（６０）に軸受けされた前後の両ロール（Ｒａ，Ｒａ）から前記引出装置（Ｂ）で、同一のスピードで引き出される遮水シート（Ｓａ）の端部の重合部（Ｘ）を、作業ステージ（１０）で融着器具を用いて融着作業を行って広幅加工作業を行うものである。
【００４２】
さらに、作業ステージ（１０）上で融着加工された大型広幅遮水シート（Ｓｃ）は、前記引出装置（Ｂ）によって作業ステージ（１０）からスロープ面（Ａ）に向けて送り出される。該引出装置（Ｂ）にはブレーキ（図示せず）を設けており、送り出した分ロールシート〔単一の遮水シート（Ｓａ）、あるいは３本の遮水シートを融着した中型広幅遮水シート（Ｓｂ）〕が新たに作業ステージ（１０）に展張され、次の融着作業が開始可能となる。大型広幅遮水シート（Ｓｃ）に加工する際、融着加工中に遮水シートが引っ張られ作業が中断されることがない仕組みに構成している。
【００４３】
そして前記４本のローラは、ギアモータを動力源とする駆動ローラと、該ローラに挟み込んで送り出される遮水シート（Ｓａ）を下部の駆動ローラと上部の押さえローラの間に挟んで送り出すよう構成している。
【００４４】
前記作業ステージ（１０）では、融着加工した中型広幅ロール（Ｒｂ）から大型広幅遮水シート（Ｓｃ）に融着加工したり、また、原反ロール（Ｒａ）を多数本並列しておき、一挙に大型幅広遮水シート（Ｓｃ）に加工する場合もある。なお、これら遮水シート（Ｓａ）、（Ｓｂ）、（Ｓｃ）は水に濡れると融着が不可能になるが、上方に屋根（３０）を設けたことにより雨天時でも融着作業は問題なくできる。
【００４５】
以上のように、この考案の遮水シートの広幅加工設備場は、複数本の中型広幅遮水シート（Ｓｂ）を巻回した中型広幅ロール（Ｒｂ）を外部より作業ステージ（１０）後部の軸受スタンド（６０）に降下し、該スタンドより、前記中型広幅シートを作業ステージ（１０）上に繰り出し、各中型広幅遮水シート同士の側端をそれぞれ融着し、敷設工事現場が要求する巨大な大型広幅遮水シート（Ｓｃ）に加工し、順次、近傍の敷設工事現場に向け搬出し、スロープ（Ａ）を介して岸壁より着水させて水面を介して敷設工事現場に移送するものである。
【産業上の利用可能性】
【００４６】
この考案の遮水シートの広幅加工設備場の技術を確立し、実施することにより産業上の利用可能性を有する。
【符号の説明】
【００４７】
１０    作業ステージ
１０ａ  摩擦低減シート
２０    梁材
２０ａ  棟梁材
２０ｂ  軒梁材
３０    屋根
３０ａ  固定屋根部
３０ｂ  スライド屋根部
４０    柱
４０ａ  長い柱
４０ｂ  短い柱
５０    架台
６０    軸受スタンド
７０    ガイドレール装置
７０ａ、７０ａ´  レール材
７０ｂ、７０ｂ´  コ字状の枠体
７０ｃ、７０ｃ´  防止板
７１ａ、７１ａ´  上部キャスター
７１ｂ、７１ｂ´  側部キャスター
Ａ    スロープ
Ｂ    引出装置
Ｃ、Ｃ´  開口部
Ｓａ  遮水シート
Ｓｂ  中型広幅遮水シート
Ｓｃ  大型広幅遮水シート
Ｒａ  原反ロール
Ｒｂ  中型広幅ロール
Ｒ１、Ｒ２、Ｒ３、Ｒ４、Ｒ５、Ｒ６、Ｒ７、Ｒ８  分割屋根
Ｗａ  固定屋根部の横幅寸法
Ｗｂ  スライド屋根部に装着したレール材の長さ寸法
Ｗｃ  中型広幅ロールの長さ寸法
Ｗｄ  遮水シートの幅寸法
Ｗｅ  中型広幅遮水シートの幅寸法
Ｘ    重合部
【図１】
0003230960.tif 000003
【図２】
0003230960.tif 000004
【図３】
0003230960.tif 000005
【図４】
0003230960.tif 000006
【図５】
0003230960.tif 000007
【図６】
0003230960.tif 000008